(57)【要約】【課題】ユーザの所望の電子アルバムを操作の手間を軽減して容易に生成する。【解決手段】本発明の情報処理装置は、画面内に設けられた画像を配置可能な複数の枠領域のうち、少なくとも一部の枠領域を指定する指定手段と、前記指定された枠領域のうち、所定の条件を満たす枠領域を取得する取得手段と、前記所定の条件を満たす枠領域に配置するための画像を自動で決定する決定手段と、前記所定の条件を満たす枠領域に対して、前記決定された画像を配置して表示する表示制御手段と、を有する。【選択図】図１Ｂ
2020154579.tif 000002
【特許請求の範囲】
【請求項１】
画面内に設けられた画像を配置可能な複数の枠領域のうち、少なくとも一部の枠領域を指定する指定手段と、
前記指定された枠領域のうち、所定の条件を満たす枠領域を取得する取得手段と、
前記所定の条件を満たす枠領域に配置するための画像を自動で決定する第１の決定手段と、
前記所定の条件を満たす枠領域に対して、前記決定された画像を配置して表示する表示制御手段と、
を有することを特徴とする情報処理装置。
【請求項２】
前記枠領域に配置するための画像をユーザの操作にしたがって決定する第２の決定手段をさらに有し、
前記所定の条件を満たす枠領域は、前記第２の決定手段により決定された画像が配置されていない枠領域である、
ことを特徴とする請求項１に記載の情報処理装置。
【請求項３】
前記所定の条件を満たす枠領域は、前記第２の決定手段により決定された画像が既に配置されている枠領域であって、前記既に配置されている画像が前記枠領域に配置された日時が所定の日時以前である、
ことを特徴とする請求項２に記載の情報処理装置。
【請求項４】
前記所定の条件を満たす枠領域は、前記第２の決定手段により決定された画像が既に配置されている枠領域であって、画像が入れ換えられた回数が所定の回数以下の枠領域である、
ことを特徴とする請求項２または３に記載の情報処理装置。
【請求項５】
表示制御手段は、前記複数の枠領域と所定のエリアを前記画面に表示し、さらに、ユーザの操作にしたがって、前記画面内の位置を移動させて前記枠領域を表示し、
前記指定手段は、前記所定のエリアと重複する位置に表示された枠領域を指定する、
ことを特徴とする請求項１から４のいずれか一項に記載の情報処理装置。
【請求項６】
前記表示制御手段は、前記複数の枠領域を矩形領域内に並べて前記画面に表示し、前記矩形領域に対するユーザの操作にしたがって、前記画面内の位置を一括して移動させて前記複数の枠領域を表示する、
ことを特徴とする請求項５に記載の情報処理装置。
【請求項７】
前記表示制御手段は、前記画面をタッチ検知面に表示し、
前記タッチ検知面に対するタッチ操作を検知するタッチ検知手段をさらに有し、
前記枠領域の前記画面内の位置を移動させるためのユーザの操作は、前記タッチ検知面にタッチダウンした後、タッチしている位置を移動する操作である、
ことを特徴とする請求項５または６に記載の情報処理装置。
【請求項８】
前記表示制御手段は、前記枠領域に配置可能な候補画像を前記所定のエリアに表示する、
ことを特徴とする請求項５から７のいずれか一項に記載の情報処理装置。
【請求項９】
検索条件を設定する設定手段をさらに有し、
前記第１の決定手段は、前記検索条件を満たす画像を前記枠領域に配置するための画像として決定する、
ことを特徴とする請求項１から８のいずれか一項に記載の情報処理装置。
【請求項１０】
前記表示制御手段は、前記検索条件と対応するアイコンを前記画面に表示し、
前記設定手段は、前記検索条件を、ユーザの操作にしたがって選択されたアイコンに応じて設定する、
ことを特徴とする請求項９に記載の情報処理装置。
【請求項１１】
前記表示制御手段は、前記ユーザの操作にしたがって選択中の前記アイコンおよび前記選択中のアイコンと対応する検索条件を満たす画像を識別可能に表示する、
ことを特徴とする請求項１０に記載の情報処理装置。
【請求項１２】
画面内に設けられた画像を配置可能な複数の枠領域のうち、少なくとも一部の枠領域の指定を受け付ける受付ステップと、
前記指定された枠領域のうち、所定の条件を満たす枠領域を取得する取得ステップと、
前記所定の条件を満たす枠領域に配置するための画像を自動で決定する第１の決定ステップと、
前記所定の条件を満たす枠領域に対して、前記決定された画像を配置して表示する表示制御ステップと、
を有することを特徴とする情報処理装置の制御方法。
【請求項１３】
コンピュータを、請求項１から１１のいずれか一項に記載された情報処理装置の各手段として機能させるためのプログラム。
【請求項１４】
請求項１３に記載のプログラムを記憶するコンピュータが読み取り可能な記憶媒体。
【発明の詳細な説明】
【技術分野】
【０００１】
本発明は、情報処理装置、情報処理装置の制御方法、プログラム、および記憶媒体に関する。
【背景技術】
【０００２】
従来、ＰＣ上で電子アルバムを作成する方法として、自動的に最適なレイアウトで画像を電子アルバム上に配置する技術が知られている（例えば、特許文献１）。
【先行技術文献】
【特許文献】
【０００３】
【特許文献１】特開２００６−０７４５９２号公報
【発明の概要】
【発明が解決しようとする課題】
【０００４】
しかしながら、従来の技術では、ユーザが電子アルバムに配置されるすべての画像のうち一部の画像を手動で配置したい場合であっても、すべての画像を手動で配置しなければならなかった。あるいは、すべての画像を自動で配置した後に、自動で配置された画像と当該一部の画像それぞれの入れ替えを手動で行う必要があった。
【０００５】
そこで、本発明では、ユーザの所望の電子アルバムを操作の手間を軽減して容易に生成することができる技術を提供することを目的とする。
【課題を解決するための手段】
【０００６】
本発明の一態様は、
画面内に設けられた画像を配置可能な複数の枠領域のうち、少なくとも一部の枠領域を指定する指定手段と、
前記指定された枠領域のうち、所定の条件を満たす枠領域を取得する取得手段と、
前記所定の条件を満たす枠領域に配置するための画像を自動で決定する第１の決定手段と、
前記所定の条件を満たす枠領域に対して、前記決定された画像を配置して表示する表示制御手段と、
を有することを特徴とする情報処理装置である。
【０００７】
本発明の一態様は、
画面内に設けられた画像を配置可能な複数の枠領域のうち、少なくとも一部の枠領域の指定を受け付ける受付ステップと、
前記指定された枠領域のうち、所定の条件を満たす枠領域を取得する取得ステップと、
前記所定の条件を満たす枠領域に配置するための画像を自動で決定する第１の決定ステップと、
前記所定の条件を満たす枠領域に対して、前記決定された画像を配置して表示する表示制御ステップと、
を有することを特徴とする情報処理装置の制御方法である。
【０００８】
本発明の一態様は、コンピュータを、上記の情報処理装置の各手段として機能させるためのプログラムである。
【０００９】
本発明の一態様は、上記プログラムを記憶するコンピュータが読み取り可能な記憶媒体
である。
【発明の効果】
【００１０】
本発明によれば、ユーザの所望の電子アルバムを操作の手間を軽減して容易に生成することができる。
【図面の簡単な説明】
【００１１】
【図１Ａ】実施形態１に係る電子アルバム作成装置の構成の一例を示す図
【図１Ｂ】実施形態１に係る電子アルバム作成装置の機能ブロック図
【図２Ａ】実施形態１に係る表示画像の一例を示す図
【図２Ｂ】実施形態１に係る表示画像の一例を示す図
【図２Ｃ】実施形態１に係る表示画像の一例を示す図
【図２Ｄ】実施形態１に係る表示画像の一例を示す図
【図２Ｅ】実施形態１に係る表示画像の一例を示す図
【図３Ａ】実施形態１に係る処理の一例を示すフローチャート
【図３Ｂ】実施形態１に係る処理の一例を示すフローチャート
【図４Ａ】実施形態２に係る表示画像の一例を示す図
【図４Ｂ】実施形態２に係る表示画像の一例を示す図
【図４Ｃ】実施形態２に係る表示画像の一例を示す図
【図４Ｄ】実施形態２に係る表示画像の一例を示す図
【図５】実施形態２に係る処理の一例を示すフローチャート
【発明を実施するための形態】
【００１２】
（実施形態１）
＜概要＞
以下、本実施形態に係る電子アルバム作成装置について説明する。本実施形態に係る電子アルバム作成装置は、例えばパーソナルコンピュータ（ＰＣ）等であって、画面上に表示される電子アルバムに対して各種制御を行う装置である。なお、本実施形態の電子アルバムは、画像データを含む電子フォトアルバムデータである。
【００１３】
電子アルバム作成装置には、電子アルバム作成アプリケーションプログラムがインストールされている。電子アルバム作成アプリケーションプログラムは、デジタルカメラ等で撮影した画像等を画面上で並べて表示したり、画像および当該画像のレイアウトの情報を電子アルバム・データとして保存する機能を提供する。電子アルバム作成アプリケーションプログラムには、ユーザの好みに応じて手動で画像を選択・配置したり、自動で画像を選択・配置する機能を提供する。なお、電子アルバムには画像の他、動画または音声等を付加して保存することもできる。本実施形態に係る電子アルバムには複数のページが設けられおり、当該ページごとに画像を配置可能な枠領域があらかじめ設けられている。なお、当該枠領域のレイアウトは変更可能であってもよい。
【００１４】
自動で画像を選択・配置する場合、電子アルバム作成装置は、枠領域をページを示す矩形領域内に並べて画面内に表示し、ユーザから上記の枠領域のうち一部の枠領域を指定する操作を受け付ける。そして、電子アルバム作成装置は、当該指定された枠領域のうち所定の条件を満たす枠領域に対して画像を自動で配置する。所定の条件を満たす枠領域とは、例えば、画像が配置されていない枠領域が挙げられる。以下、本実施形態に係る電子アルバム作成装置の全体構造、処理内容について説明する。
【００１５】
＜全体構成＞
図１Ａおよび図１Ｂは、それぞれ本実施形態に係る電子アルバム作成装置１００の構成を示す図である。図１Ａは本実施形態に係る電子アルバム作成装置１００の構成図である
。電子アルバム作成装置１００は、例えばパーソナルコンピュータ（ＰＣ）やタブレット端末等の情報処理装置（電子機器）である。図１Ａにおいて、内部バス１５０に対してＣＰＵ１０１、メモリ１０２、不揮発性メモリ１０３、画像処理部１０４、表示部１０５、入力部１０６、表示制御部１０７、記録媒体Ｉ／Ｆ１０８、外部Ｉ／Ｆ１０９、通信Ｉ／Ｆ１１０等が接続されている。内部バス１５０に接続される各部は、内部バス１５０を介して互いにデータのやりとりを行うことができるようにされている。
【００１６】
ＣＰＵ１０１は、例えば不揮発性メモリ１０３に格納されるプログラムに従い、メモリ１０２をワークメモリとして用いて、電子アルバム作成装置１００の各部を制御する。メモリ１０２は、例えばＲＡＭ（半導体素子を利用した揮発性のメモリなど）である。不揮発性メモリ１０３には、画像データやその他のデータ、ＣＰＵ１０１が動作するための各種プログラムなどが格納される。不揮発性メモリ１０３は、例えばハードディスク（ＨＤ）やＲＯＭなどで構成される。なお、後述する電子アルバム作成装置１００の機能や処理は、ＣＰＵ１０１が不揮発性メモリ１０３に格納されているプログラムを読み出し、このプログラムを実行することにより実現されるものである。
【００１７】
画像処理部１０４は、ＣＰＵ１０１の制御に基づいて、不揮発性メモリ１０３や記録媒体（例えば、外部記憶媒体１１２）に格納された画像データや、外部Ｉ／Ｆ１０９、通信Ｉ／Ｆ１１０を介して取得した画像データ等に対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理等が含まれる。
【００１８】
表示部１０５は、表示制御部１０７の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、プログラムに従い表示制御信号を生成し、表示部１０５に表示するための映像信号を生成して表示部１０５に出力するように電子アルバム作成装置１００の各部を制御する。なお、電子アルバム作成装置１００には、表示部１０５に表示させるための映像信号を出力するためのインターフェースを備え、電子アルバム作成装置１００とは別体のディスプレイ（テレビ等）に映像信号を出力してもよい。
【００１９】
入力部１０６は、キーボードやマウス、マイクロホン、タッチパネル等の操作部に対して行われる操作入力（文字入力等）を受け付ける。例えば、入力部１０６は、ユーザのキーボード操作によって文字や数字の入力等の様々な指示を受け付ける。入力部１０６は、ユーザのマウス操作によって表示部１０５に表示されるカーソルの移動や、表示部１０５に表示される項目の選択・移動を受け付けてもよい。なお、入力部１０６は、マイクロホンによって出力された音声信号等を受け付けてもよい。
【００２０】
表示制御部１０７は、ユーザの操作等に応じて、表示部１０５に表示する画像（静止画や動画を含む）の制御を行う。記録媒体Ｉ／Ｆ１０８は、メモリカードやＣＤ、ＤＶＤといった記録媒体が装着可能とされ、ＣＰＵ１０１の制御に基づき、装着された記録媒体からのデータの読み出しや、当該記録媒体に対するデータの書き込みを行う。外部Ｉ／Ｆ１０９は、外部機器と有線ケーブルや無線によって接続し、信号の入出力を行うためのインターフェースである。通信Ｉ／Ｆ１１０は、外部機器やインターネット（ＮＥＴ１１１）等と通信して、ファイルやコマンドなどの各種データの送受信を行うためのインターフェースである。
【００２１】
ここで、上記の操作部として、タッチパネル（タッチ検知面）を用いた場合の例について説明する。タッチパネルは、表示部１０５に対する接触を検知する。タッチパネルと表示部１０５とは一体的に構成することができる。例えば、タッチパネルを光の透過率が表
示部１０５の表示を妨げないように構成し、表示部１０５の表示面の上層に取り付ける。そして、タッチパネルにおける入力座標と、表示部１０５上の表示座標とを対応付ける。これにより、恰もユーザが表示部１０５上に表示された画面を直接的に操作可能であるかのようなＧＵＩ（グラフィカルユーザーインターフェース）を構成することができる。ＣＰＵ１０１はタッチパネルへの以下の操作、あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００２２】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００２３】
これらの操作・状態や、タッチパネル上に指やペンがタッチしている位置座標は内部バスを通じてＣＰＵ１０１に通知され、ＣＰＵ１０１は通知された情報に基づいてタッチパネル上にどのような操作が行われたか否かを判断する。タッチムーブについてはタッチパネル上で移動する指やペンの移動方向についても、位置座標の変化に基づいて、タッチパネル上の垂直成分・水平成分毎に判断できる。またタッチパネル上をタッチダウンから一定のタッチムーブを経てタッチアップをした場合、ＣＰＵ１０１は、ストロークを描いたと判断する。
【００２４】
フリックは、タッチパネル上に指をタッチしたままある程度の距離だけ素早く動かして、そのまま離すといった操作である。言い換えればタッチパネル上を指ではじくように素早くなぞる操作である。所定距離以上を、所定速度以上でタッチムーブしたことが検出され、そのままタッチアップが検出されるとフリックが行われたと判断できる。また、所定距離以上を、所定速度未満でタッチムーブしたことが検出された場合は、ＣＰＵ１０１は、ドラッグが行われたと判断する。
【００２５】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００２６】
図１Ｂは、本実施形態に係る電子アルバム作成装置１００の機能ブロック図である。不揮発性メモリ１０３に格納されたプログラムを電子アルバム作成装置１００が実行することで、電子アルバム作成装置１００の受付部１５１、取得部１５２、決定部１５３および配置部１５４等の機能が提供される。それらの機能の一部または全部は、ＡＳＩＣやＦＰＧＡなどの専用の論理回路により実現されてもよい。
【００２７】
受付部１５１は、電子アルバムに設けられる枠領域のうち一部の枠領域を指定する操作
を受け付ける機能部である。枠領域の指定方法は、例えば、「電子アルバムのページ上の枠領域と所定の領域とを重複させる」ことや、「電子アルバムのページ上の枠領域を直接指定する」ことにより上記一部の枠領域を指定する方法等が挙げられる。
【００２８】
「電子アルバムのページ上の枠領域と所定の領域とを重複させる」とは、電子アルバムのページが移動可能である場合にスライド操作によって電子アルバムのページの枠領域を所定の領域（候補画像領域）に重複させることが挙げられる。また、電子アルバム上の枠領域とマウス等の操作部を用いて指定される領域とを重複させることが挙げられる。「電子アルバムのページ上の枠領域を直接指定する」とは、マウスもしくはキーボード等の操作部に対する操作またはタッチ操作によって電子アルバムのページ上の枠領域を指定する方法が挙げられる。本実施形態では、スライド操作によって表示部１０５に表示される電子アルバム上のページの枠領域を所定の領域に重複させることで枠領域を指定する例について説明する。
【００２９】
取得部１５２は、指定された枠領域のうち、所定の条件を満たす枠領域を決定する機能部である。本実施形態では、所定の条件を満たす枠領域とは、画像が配置されていない枠領域である例について説明する。
【００３０】
なお、所定の条件を満たす枠領域は上記に限定されない。例えば、所定の条件を満たす枠領域は、画像が配置されている枠領域でもよい。また、画像が配置されている枠領域のうち、画像が配置された日時が所定の日時以前（または以降）の枠領域であってもよい。さらに、所定の条件を満たす枠領域は、画像が配置されている枠領域のうち、画像が入れ換えられた回数が所定の回数以下（または以上）の枠領域であってもよい。所定の日時または所定の回数は、例えば、ユーザによって指定される日時（回数）、電子アルバムに関連付けて保持されるシステム固有の日時（回数）が挙げられる。また、所定の条件を満たす枠領域は、画像が配置されている枠領域のうち、画像が配置された日時または画像が入れ替えられた回数を昇順（または降順）でソートした場合の上位数十％の枠領域であってもよい。なお、上記を組み合わせてもよい。例えば、画像が配置されていない枠領域と、画像が配置されている枠領域のうち画像が入れ替えられた日時が所定の日時以前の枠領域とを、上記所定の条件を満たす枠領域としてもよい。
【００３１】
決定部１５３は、上記所定の条件を満たす枠領域に配置するための画像を決定する機能部である。本実施形態では、所定の枠領域に表示される画像の中からランダムで画像を決定する例について説明するが、当該画像の決定方法は特に限定されない。例えば、予め決められた条件を満たす画像（同じページに手動で配置されている画像の被写体の特徴量と類似する画像や撮影日時の近い画像等）を選択するようにしてもよい。
【００３２】
配置部１５４は、上記所定の条件を満たす枠領域に対して、決定部１５３によって決定された画像を配置する機能部である。すなわち、上記指定された枠領域のうち所定の条件を満たさない枠領域に対しては画像の配置（更新）は行わない。
【００３３】
＜画像表示例＞
図２Ａ〜図２Ｅは、本実施形態に係る電子アルバム作成装置１００における、枠領域の選択および画像の配置の一例を示す図である。
【００３４】
図２Ａは、表示部１０５に表示される電子アルバムのページ２００および画像トレイ３００等を示す図である。図２Ａでは、電子アルバムを開いたときに対になる左右のページ（見開きページ）が表示部１０５に表示される。電子アルバムは、複数のページを含み、各ページ内には画像を配置するための複数の領域（例えば、枠領域２０１ａ〜２０１ｊ）が設けられている。枠領域２０１ａ〜２０１ｊを区別する必要がない場合には、単に枠領
域２０１と称する。図２Ａにおいて、枠領域２０１ａ〜２０１ｉには画像が配置されてなく、枠領域２０１ｊには画像（後述する画像３０１のいずれか）が配置されている。画像トレイ３００は、上記の枠領域２０１に配置するための１つ以上の画像である画像３０１の一部（または全て）が表示（例えば、サムネイル表示）されるエリアである。画像３０１は、電子アルバム作成装置１００の内部または外部の記憶媒体に記憶されている画像である。画像トレイ３００に一部の画像しか表示されていない場合、ユーザによる画像トレイ３００へのスクロール操作等に応じて、画像トレイ３００に表示される画像を変更することができる。画像３０２は、元々、画像トレイ３００に設けられていた画像であって、ユーザ操作等によって画像トレイ３００の外に移動された画像である。
なお、電子アルバムに含まれる複数のページのうち表示部に１０５に表示されるページは、ユーザによるページ番号の入力操作やユーザによるページ切り替え指示の操作にしたがって選択される。
【００３５】
本実施形態では、ユーザはタッチパネルまたは操作部を操作することにより電子アルバムのページ２００を移動・回転させることが可能である。また、これに伴いページ２００内に設けられた複数の枠領域２０１も画面内での表示位置が一括して移動・回転して表示される。枠領域２０１に対して自動で画像を選択・配置させる場合、ユーザは、電子アルバムのページ２００を移動・回転させて、枠領域２０１を画像トレイ３００の近傍に重ねることで自動で選択・配置を行う対象の領域を指定する。また、枠領域２０１に対して手動で画像を選択・配置する場合、ユーザは画像３０１のいずれかをタッチダウンしてスライド操作を行い、枠領域２０１上でタッチアップをすることでユーザの所望の画像３０１を所望の枠領域２０１に対して配置することができる。また、枠領域２０１上以外でタッチアップをすることで、電子アルバムのページ２００および画像トレイ３００以外のエリアに画像３０１を配置してもよい。このようにして配置された画像３０２は、枠領域２０１に配置する画像の候補として使用することができる。また、枠領域２０１に配置済みの画像または画像３０２は、上記のタッチ操作によって再度移動可能であって、例えば、画像トレイ３００に戻すこともできる。なお、手動で画像を選択・配置する場合、上記のタッチパネルへの操作以外にもマウスやキーボードなどの操作部への操作によって画像を選択・配置してもよい。
【００３６】
図２Ｂは、電子アルバムのページ２００の端部である右端をタッチダウンした場合の表示例を示す図である。本実施形態では、タッチムーブ操作が開始されたことを示すために、電子アルバムのページ２００の周囲に枠２１０が表示されている。
【００３７】
図２Ｃは、電子アルバムのページ２００の一部が画像トレイ３００と重なった状態を示す図である。電子アルバムのページ２００の端部（図２Ｃでは右端の一部）が画像トレイ３００の近傍に達する（重なる）と、画像トレイ３００の表示領域が拡大する。そして、拡大された画像トレイ３００が電子アルバムのページ２００上の枠領域２０１と重なるように表示される。そして、電子アルバム作成装置１００は、電子アルバムのページ２００内の枠領域２０１のうち、画像トレイ３００（所定のエリア）と重複する領域を指定された領域として認識する。なお、本実施形態では画像トレイ３００と重なることにより指定された枠領域２０１を他の枠領域２０１と区別するため、他の枠領域と異なる色で表示する。ここで、本実施形態では、電子アルバム作成装置１００は、枠領域２０１全体が画像トレイ３００に含まれる場合に「重なった」と判断する例について説明するが、判断基準は特に限定されない。例えば、電子アルバム作成装置１００は、枠領域２０１の全体のうち所定の割合以上が画像トレイ３００に含まれる場合に「重なった」と判断してもよい。また、本実施形態では、電子アルバムのページ２００を傾けて画像トレイ３００に重ねる場合について説明するが、電子アルバムのページ２００を傾けずに下方向に移動させて重ねるようにしてもよい。
【００３８】
図２Ｄは、電子アルバムのページ２００を画像トレイ３００に重ねた状態でユーザがしばらくタッチを継続させた場合の表示例を示す図である。本実施形態では、画像トレイ３００の上端を波打つように表示させるとともに、画像のいくつかが画像トレイ３００の中で弾けているようなアニメーションを表示させる。このアニメーションは、枠領域２０１に配置する画像を選択（決定）する処理を実行中であることをユーザに対して示すためのものである。電子アルバム作成装置１００は、画像トレイ３００に重なった枠領域２０１（指定された枠領域２０１）のうち、まだ画像が配置されていない枠領域２０１（所定の条件を満たす枠領域２０１）に対して、自動で選択された画像３０１を配置する。
【００３９】
図２Ｅは、ユーザが電子アルバムのページ２００へのタッチを終了しタッチアップ操作を行った場合の表示例を示す図である。この場合、電子アルバムのページ２００は元の位置に表示される。このとき、図２Ｃで画像トレイ３００と重複していた枠領域２０１に、画像トレイ３００内の画像３０１が自動で配置される。これにより、ユーザによって指定された枠領域２０１のうち画像が配置されていなかった枠領域２０１（所定の条件を満たす枠領域２０１）に自動で選択された画像３０１が表示される。なお、画像トレイ３００の外に移動された画像（例えば、画像３０２）や、既に電子アルバムのページ２００（例えば、枠領域２０１ｊに配置された画像）や他のページに配置された画像等は、自動で選択・配置する対象の画像から除いてもよい。
【００４０】
＜処理内容＞
図３Ａおよび図３Ｂは、本実施形態に係る処理を示すフローチャートである。ステップＳ３０１〜Ｓ３２０の処理を図３Ａに示し、ステップＳ３２１〜Ｓ３２８の処理を図３Ｂに示す。
【００４１】
Ｓ３０１において、ＣＰＵ１０１は、ユーザによってタッチダウン操作がなされたか否かを判断する。タッチダウン操作がなされた場合はＳ３０２へ進み、そうでない場合はＳ３０１の判断を繰り返す。
【００４２】
Ｓ３０２において、ＣＰＵ１０１は、タッチポイント（タッチしている位置）の移動操作（タッチムーブ操作）が行われたか否かを判断する。ＣＰＵ１０１は、タッチポイントの移動操作が行われた場合はＳ３０３に進み、そうでない場合はＳ３２０へ進む。Ｓ３２０において、ＣＰＵ１０１は、タッチアップ操作がされたか否かを判断する。タッチアップ操作がされた場合はＳ３０１へ進み、そうでない場合はＳ３０２へ進む。
【００４３】
Ｓ３０３において、ＣＰＵ１０１は、ユーザによりタッチダウン操作がなされた位置が電子アルバムのページ２００上か否かを判断する。電子アルバムのページ２００上である場合はステップＳ３０４へ進み、そうでない場合はＳ３２１へ進む。
【００４４】
Ｓ３０４において、ＣＰＵ１０１は、タッチポイントの位置が電子アルバムのページ２００の右側端部と左側端部のいずれの近傍であるかを判断する。右側端部と左側端部の近傍はそれぞれ、右側端部と左側端部から所定の距離内の範囲である。タッチポイントが右側端部の近傍である場合はＳ３０５へ進み、タッチポイントが左側端部の近傍である場合はＳ３０６へ進む。Ｓ３０５において、ＣＰＵ１０１は、電子アルバムのページ２００における左側端部の中心が支点となるように、タッチポイントの移動にあわせて電子アルバムのページ２００を傾けて表示させる。Ｓ３０６において、ＣＰＵ１０１は、電子アルバムのページ２００における右側端部の中心が支点となるように、タッチポイントの移動にあわせて電子アルバムのページ２００を傾けて表示させる。なお、ステップＳ３０４〜Ｓ３０６においては、電子アルバムのページ２００を傾けて表示（回転）させる処理について説明したが、電子アルバムのページ２００を傾けずに下方向に移動させてもよい。この場合、例えば、Ｓ３０４でタッチポイントの位置が電子アルバムのページ２００の下端の
中央付近であると判断したり、Ｓ３０１で２本の指でタッチダウン操作がなされたと判断した場合等に電子アルバムのページ２００を傾けずに下方向に移動させるとよい。
【００４５】
Ｓ３０７において、ＣＰＵ１０１は、電子アルバムのページ２００の端部が画像トレイ３００に達したか否かを判断する。電子アルバムのページ２００の端部が画像トレイ３００に達した場合はＳ３０９へ進み、そうでない場合はＳ３０８へ進む。本実施形態では、電子アルバムのページ２００の一部でも画像トレイ３００と重複する場合に端部が達したと判断するが、判断方法は特に限定されない。例えば、電子アルバムのページ２００の右端端部の上部または中心部が画像トレイ３００内に収まる場合に端部が達したと判断してもよい。ステップＳ３０８において、ＣＰＵ１０１は、タッチアップされたか否かを判断する。タッチアップされた場合はＳ３１８へ進み、そうでない場合はＳ３０７へ進む。
【００４６】
Ｓ３０９において、ＣＰＵ１０１は、画像トレイ３００の領域を拡大して電子アルバムのページ２００上の枠領域２０１と重なるように表示させる。ここで、受付部１５１は、重なった枠領域２０１をユーザが指定した枠領域２０１として受け付ける。そして、Ｓ３１０において、ＣＰＵ１０１は、画像トレイ３００と重なった枠領域２０１を他の枠領域２０１と異なる態様で表示させる。例えば、ＣＰＵ１０１は、画像トレイ３００と重なった枠領域２０１を重なっていない枠領域２０１とは異なる色で表示する。
【００４７】
Ｓ３１１において、ＣＰＵ１０１は、タッチポイント（タッチしている位置）の移動操作（タッチムーブ操作）が行われたか否かを判断する。ＣＰＵ１０１は、タッチポイントの移動操作が行われた場合はＳ３１２に進み、そうでない場合はＳ３１３へ進む。
【００４８】
Ｓ３１２において、ＣＰＵ１０１は、タッチポイントの移動操作にしたがって、電子アルバムのページ２００の位置を変更して表示する。すなわち、ユーザはタッチムーブ操作によって電子アルバムのページ２００が表示される位置を変更することで、電子アルバムのページ２００の枠領域２０１のうち、画像トレイ３００と重なる枠領域２０１を変更することができる。そして、ステップＳ３１０の処理に戻る。
【００４９】
Ｓ３１３において、ＣＰＵ１０１は、タッチアップ操作が行われたか否かを判断する。タッチアップ操作が行われた場合はＳ３１８へ進み、そうでない場合はＳ３１４へ進む。
【００５０】
Ｓ３１４において、ＣＰＵ１０１は、画像の自動配置処理の実行中であることを示すアニメーションを表示する。具体的には、画像トレイ３００の上辺を直線から波線へ変更し、さらに上辺が波打つようなアニメーションを表示する。また、ＣＰＵ１０１は、画像トレイ３００の画像のいくつかを画像トレイ３００の中でランダムな方向に移動させることによって、画像が弾けているようなアニメーションを表示する。
【００５１】
Ｓ３１５において、ＣＰＵ１０１は、画像を自動で配置する対象の枠領域２０１を取得する。具体的には、取得部１５２は、画像トレイ３００と重なる枠領域２０１の中から、画像が配置されていない枠領域２０１（配置対象領域とも称する。）を取得する。
【００５２】
Ｓ３１６において、ＣＰＵ１０１は、配置対象領域に対して配置するための画像を決定する。具体的には、決定部１５３は、上記の配置対象領域に配置するための画像を画像３０１の中からランダムに決定する。ここで、決定部１５３によって決定される画像の数は上記の配置対象領域の数と同数であるものする。なお、画像トレイ３００内における画像３０１の数が上記の配置対象領域の数に満たない場合は、決定された画像の中に同一の画像が複数枚含まれてもよく、配置対象領域の数より決定された画像数が少ないままでもよい。
【００５３】
Ｓ３１７において、ＣＰＵ１０１は、配置対象領域に対して上記決定された画像を配置して表示する。具体的には、配置部１５４は、上記の枠領域２０１ごとに、上記の決定された画像を必要に応じて拡大・縮小して配置対象領域に対して配置する。
【００５４】
Ｓ３１８において、ＣＰＵ１０１は、電子アルバムのページ２００を元の位置に移動して表示する。Ｓ３１９において、ＣＰＵ１０１は、終了条件を満たすか否かを判断する。終了条件を満たす場合とは、例えば、電子アルバム作成アプリケーションプログラムの終了指示を受け付けた場合や、電子アルバム作成装置１００の電源オフ等の所定の操作を受け付ける場合である。終了条件を満たす場合は本処理を終了し、そうでない場合はＳ３０１へ進む。
【００５５】
ユーザによるタッチダウン操作の位置が電子アルバムのページ２００上でなければ（Ｓ３０３でＮｏ）、Ｓ３２１において、ＣＰＵ１０１は、タッチダウン操作がなされた位置が画像トレイ３００の画像上であるか否かを判断する。画像トレイ３００の画像上である場合はＳ３２２へ進み、そうでない場合はＳ３２７へ進む。
【００５６】
Ｓ３２２において、ＣＰＵ１０１は、タッチダウン操作がなされた画像（以下、選択画像と称する。）をタッチポイントに追従させて表示する。これは、選択画像がどの画像であるかをユーザにわかりやすくするためである。なお、選択画像の表示方法は特に限定されず、例えば、選択画像を半透過にしてタッチポイントに追従させて表示してもよい。また、画像トレイ３００内の選択画像とは別に、複製された選択画像をタッチポイントに追従させて表示してもよい。
【００５７】
Ｓ３２３において、ＣＰＵ１０１は、タッチアップ操作がなされたか否かを判断する。タッチアップ操作がなされた場合はＳ３２４へ進み、そうでない場合はＳ３２２へ進む。Ｓ３２４において、ＣＰＵ１０１は、選択画像の移動表示（移動されている状態であることを示す表示）を終了する。これは、上述の手動で画像を選択したり、選択された画像を配置する枠領域２０１を決定したりする操作に該当する。
【００５８】
Ｓ３２５において、ＣＰＵ１０１は、タッチアップ操作がなされた位置が電子アルバムのページ２００の領域上であるか否かを判断する。電子アルバムのページ２００上である場合はＳ３２６へ進み、そうでない場合はＳ３０１へ進む。Ｓ３２６において、ＣＰＵ１０１は、移動表示されていた選択画像を上記のタッチアップ操作がなされた位置の枠領域２０１に配置して表示する。また、電子アルバムのページ２００の外に配置された画像は、上述の画像３０２で説明したように表示され、枠領域２０１に手動で配置する際の画像の候補として使用するとよい。
【００５９】
Ｓ３２７において、ＣＰＵ１０１は、タッチダウン操作がなされた位置に応じた処理を行う。タッチダウン操作がなされた位置に応じた処理は、例えば、電子アルバムのページ２００および画像トレイ３００以外の領域に配置された画像３０２等を移動する処理が挙げられる。そして、Ｓ３２８において、ＣＰＵ１０１は、タッチアップ操作がなされたか否かを判断する。タッチアップ操作がなされた場合はＳ３０１へ進み、そうでない場合はＳ３２７へ進む。すなわち、上記のタッチダウン操作がなされた位置に応じた処理を、タッチアップされるまで実行する。
【００６０】
＜本実施形態の有利な効果＞
上述のように、本実施形態に係る電子アルバム作成装置は、ユーザにより手動で画像および領域が指定される場合は、当該領域に対して当該画像を配置（表示）する。また、電子アルバム作成装置は、ユーザの指定した一部の領域のうち、画像が配置されていない領域（例えば、ユーザが手動で画像を配置した枠領域以外）に対して、自動で画像を選択し
て配置する。これにより、電子アルバム作成にかかるユーザ操作の省力化・効率化を図ることが可能になる。
【００６１】
また、電子アルバム作成装置１００が画像を選択・配置する処理において、画像トレイ３００を波打つように表示させ、また、画像のいくつかが画像トレイ３００の中で弾けているように表示するアニメーションを表示する。これにより、電子アルバム作成装置１００があたかも生き物のように画像を選択・配置する作業をしているようにユーザに感じさせることができる。
【００６２】
（実施形態２）
本実施形態に係る電子アルバム作成装置１００では、表示部１０５上に画像の検索条件を指定するためのアイコン（以下、検索条件アイコンとも称する。）が設けられる例について説明する。本実施形態では、電子アルバム作成装置１００は、電子アルバムのページ２００上の枠領域に配置するための画像を選択するための検索条件を上記検索条件アイコンに応じて決定する。なお、実施形態１と同様の機能を有する機能部等については、同じ符号を付して説明を省略する。
【００６３】
＜画面表示例＞
図４Ａ〜図４Ｄは、本実施形態に係る電子アルバム作成装置１００における、枠領域の選択および画像の配置の一例を示す図である。本実施形態では、電子アルバム作成装置１００は、電子アルバムのページ２００上の複数の枠領域のうち所定の条件に適合する枠領域に対して、検索条件アイコンによって指定された検索条件を満たす画像を配置する。なお、電子アルバムのページ２００および画像トレイ３００の表示と、電子アルバムのページ２００をタッチダウンした場合の表示は、それぞれ図２Ａおよび図２Ｂと同様のため説明を省略する。
【００６４】
図４Ａは、電子アルバムのページ２００の一部が画像トレイ３００と重複した状態を示す図である。電子アルバムのページ２００の端部（図４Ａでは右端）が画像トレイ３００に達すると、画像トレイ３００の表示領域が拡大する。そして、拡大された画像トレイ３００が電子アルバムのページ２００上の枠領域と重なるように表示される。また、本実施形態に係る電子アルバム作成装置１００は、電子アルバムのページ２００の一部が画像トレイ３００と重複する場合、表示部１０５の上部に検索条件アイコン４０１〜４１０を表示する。なお、検索条件アイコンを表示するタイミングは、上記の場合に限定されず例えば電子アルバムのページ２００が表示されている間は常に表示されていてもよい。
【００６５】
検索条件アイコン４０１〜４１０について説明する。検索条件アイコン４０１〜４０４は、特定の人や犬などの動物を示すアイコンである。これらのアイコンに表示している画像は、あらかじめ画像トレイ３００内の複数の画像から特定の人等の画像を抜き出したものである。複数の画像から特定の人等を抜き出す方法は特に限定されず、既存のパターン認識技術を用いてあらかじめ特定の人等を認識し、認識された範囲を抜き出しておくとよい。検索条件アイコン４０５〜４１０は、画像の色調を表すアイコンである。具体的には、検索条件アイコン４０５〜４１０は、順に「Ｓｉｍｐｌｅ（低彩度）」、「Ｗａｒｍ（暖色系）」、「Ｃｏｏｌ（寒色系）」、「Ｍｏｄｅｒｎ（ハイコントラスト）」、「Ｆｕｎｎｙ（高明度）」、「Ｒｉｃｈ（高彩度）」を表すアイコンである。画像の色調は、上記と同様にあらかじめそれぞれの画像ごとに抽出するものとする。なお、検索条件アイコンの数や種類は上記に限定されない。
【００６６】
図４Ｂは、ユーザにより検索条件アイコン４０９（Ｆｕｎｎｙ）がタッチダウンされ、移動（タッチムーブ）された場合の表示例を示す図である。検索条件アイコン４０９は、ユーザによってタッチムーブされている間は、タッチポイントに追従するように表示され
る。これは、選択中のアイコンがどの検索条件アイコンであるかを識別可能に表示し、ユーザにわかりやすくするためである。なお、アイコンの表示方法は特に限定されず、例えば、アイコンを半透過にしてタッチポイントに追従させて表示してもよい。また、元の位置の検索条件アイコンとは別に、複製されたアイコンをタッチポイントに追従させて表示してもよい。
【００６７】
図４Ｃは、ユーザによるタッチムーブ操作によって検索条件アイコン４０９が画像トレイ３００に移動され、タッチアップ操作がなされた場合の表示例を示す図である。本実施形態では、画像トレイ３００の上端が波打つように表示されるアニメーションに応じて、検索条件アイコン４０９が画像トレイ３００に浮かぶように表示される。これにより、電子アルバム作成装置１００によって決定される画像が検索条件アイコン４０９の示す検索条件（図４Ｃの例では「Ｆｕｎｎｙ」）に従って検索されていることをユーザに示すためである。
【００６８】
図４Ｄは、ユーザが電子アルバムのページ２００に対するタッチを終了しタッチアップ操作を行った場合の表示例を示す画像である。この場合、電子アルバムのページ２００は元の位置に表示される。このとき、図４Ａで画像トレイ３００と重複していた枠領域２０１ｅ〜２０１ｉに、検索条件アイコン４０９と対応する検索条件に従って検索された画像が配置される。これにより、ユーザが指定した一部の枠領域２０１に対して自動で画像を選択・配置する。
【００６９】
＜処理内容＞
本実施形態では、ＣＰＵ１０１は図３ＡのステップＳ３０１〜Ｓ３１３，Ｓ３２０の処理を実行するとともに、Ｓ３１３の処理の後に図５のフローチャートに示す処理を実行する。
【００７０】
なお、本実施形態では、ＣＰＵ１０１は、検索条件アイコン４０１〜４１０を表示部１０５にあらかじめ表示する。
【００７１】
本実施形態では、ＣＰＵ１０１は、Ｓ３１３でタッチアップ操作が行われたと判断されると、Ｓ５０１において、ＣＰＵ１０１は、ユーザにより再びタッチダウン操作がなされたか否かを判断する。タッチダウン操作がなされた場合はＳ５０２に進み、そうでない場合はＳ５０１の判断を繰り返し行う。なお、本実施形態ではＳ３１３の処理はタッチアップ操作が行われたと判断されるまで繰り返し行われる。
【００７２】
Ｓ５０２において、ＣＰＵ１０１は、タッチポイントの移動操作（タッチムーブ操作）が行われたか否かを判断する。タッチポイントの移動操作が行われた場合はＳ５０４へ進み、そうでない場合はＳ５０３へ進む。
【００７３】
Ｓ５０３において、ＣＰＵ１０１は、タッチアップ操作が行われたか否かを判断する。タッチアップ操作が行われた場合はＳ５１２へ進み、そうでない場合はＳ５０２へ進む。Ｓ５１２において、ＣＰＵ１０１は、電子アルバムのページ２００を元の位置に移動させて表示する。
【００７４】
Ｓ５０４において、ＣＰＵ１０１は、タッチダウンされた位置が検索条件アイコン上か否かを判断する。タッチダウンされた位置が検索条件アイコン上である場合はＳ５０５に進み、そうでない場合はＳ５１２に進む。
【００７５】
Ｓ５０５において、ＣＰＵ１０１は、タッチダウンされた検索条件アイコン（以下、選択アイコンと称する。）をタッチポイントに追従させて表示する。これは、選択アイコン
がどの検索条件アイコンであるかをユーザにわかりやすくするためである。なお、選択アイコンの表示方法は特に限定されない。例えば、選択アイコンを半透過にしてタッチポイントに追従させて表示してもよい。また、表示画面上部の検索条件アイコンとは別に、複製された選択アイコンをタッチポイントに追従させて表示してもよい。
【００７６】
Ｓ５０６において、ＣＰＵ１０１は、タッチアップ操作が行われたか否かを判断する。タッチアップ操作が行われた場合はＳ５０７に進み、そうでない場合はＳ５０５の処理を繰り返す。
【００７７】
Ｓ５０７において、ＣＰＵ１０１は、タッチアップ位置が画像トレイ３００上か否かを判断する。タッチアップ位置が画像トレイ３００上である場合はＳ５０８、Ｓ５０９の処理を実行し、そうでない場合はＳ５１２へ進む。Ｓ５０８、Ｓ５０９の処理は、上述のＳ３１４、Ｓ３１５と同様の処理であるため説明を省略する。
【００７８】
Ｓ５１０において、ＣＰＵ１０１は、選択された検索条件アイコンと対応する内容を画像の検索条件に追加して、画像の検索を行い、配置対象領域に配置する画像を決定する。具体的には、決定部１５３は、ユーザが検索条件アイコンを画像トレイ３００に移動することによって検索条件が指定された場合、当該検索条件を満たす画像を配置対象領域に配置するための画像として決定する。本実施形態では、検索条件を指定している間、画像トレイ３００には上記検索条件アイコンおよび当該検索条件を満たす画像が表示される。
【００７９】
なお、本実施形態において、ＣＰＵ１０１は、選択アイコンの示す内容に合致する画像のみを取得するが、当該選択アイコンの示す内容に合致する画像を優先的に取得してもよい。すなわち、当該合致する画像以外の画像を取得してもよい。これは、上記の検索条件を満たす画像の数が配置対象領域の数に満たない場合に有効である。なお、ステップＳ５１０において、ＣＰＵ１０１は、選択された検索条件アイコンの示す内容を画像の検索条件に追加する処理のみを行い、画像の検索結果を表示し、検索結果の中から配置対象領域に配置される画像を決定する処理は別途行ってもよい。また、
【００８０】
Ｓ５１１において、ＣＰＵ１０１は、上記の決定された画像を配置対象領域に配置する。本処理はステップＳ３１７の処理と同様のため、説明を割愛する。
【００８１】
Ｓ５１２において、ＣＰＵ１０１は、選択アイコンの移動表示（移動されている状態であることを示す表示）を終了する。すなわち、タッチアップした位置に選択アイコンを配置する。
【００８２】
Ｓ５１３において、ＣＰＵ１０１は、終了条件を満たす場合は処理を終了し、終了条件を満たさない場合はＳ３０１へ進む。本処理は、上述のＳ３１９と同様の処理であるため説明を省略する。
【００８３】
＜本実施形態の有利な効果＞
上述のように、ユーザの指定した一部の枠領域に対して画像を自動で選択し配置する際に、ユーザの指定した検索条件で検索された画像が選択され枠領域に配置されるので、よりユーザにとって好適な電子アルバムを作成することができる。
【００８４】
（変形例）
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８５】
上述した実施形態においては、電子アルバムにおける枠領域単位で自動で画像が配置される枠領域を指定する例について説明したが、電子アルバムのページ単位で指定してもよい。この場合、電子アルバム作成装置は、指定したページに含まれる枠領域のうち上記所定の条件を満たす枠領域に対して画像を自動的に選択して配置する。
【００８６】
上述した実施形態においては、本発明を電子アルバム作成装置をパーソナルコンピュータに適用した場合を例にして説明したが、これはこの例に限定されず表示画面を備えた装置に適用可能である。すなわち、本発明は、ＰＤＡ、携帯電話端末や携帯型の画像ビューワ、ディスプレイを備えるプリンタ装置、デジタルフォトフレーム、音楽プレーヤー、ゲーム機、電子ブックリーダーに適用可能である。また、本発明は、タブレット端末、スマートフォン、ディスプレイを備える家電装置や車載装置などに適用可能である。
【００８７】
上述した実施形態２においては、電子アルバムのページ２００を画像トレイ３００に重ねてから検索条件アイコンを移動して検索条件を設定する場合について説明したが、動作の順番はこれに限らない。例えば、まず最初に、ユーザがタッチムーブ操作によって検索条件アイコンを画像トレイ３００に移動すると、決定部１５３は、画像トレイ３００の画像のうち検索条件アイコンの条件に合致する画像を取得する。このとき、画像トレイには上記の条件に合致する画像のみが表示される。次に、この状態で電子アルバムのページ２００を画像トレイ３００に重複させる。そして、配置部１５４は、上記条件に合致する画像を配置対象領域に配置するようにしてもよい。
【００８８】
（その他）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８９】
１００：電子アルバム作成装置  １０１：ＣＰＵ                １５１：受付部
１５２：取得部                １５３：決定部                １５４：配置部
２００：電子アルバム          ２０１ａ〜２０１ｊ：領域      ３０１：画像
【図１Ａ】
2020154579.tif 000003
【図１Ｂ】
2020154579.tif 000004
【図２Ａ】
2020154579.tif 000005
【図２Ｂ】
2020154579.tif 000006
【図２Ｃ】
2020154579.tif 000007
【図２Ｄ】
2020154579.tif 000008
【図２Ｅ】
2020154579.tif 000009
【図３Ａ】
2020154579.tif 000010
【図３Ｂ】
2020154579.tif 000011
【図４Ａ】
2020154579.tif 000012
【図４Ｂ】
2020154579.tif 000013
【図４Ｃ】
2020154579.tif 000014
【図４Ｄ】
2020154579.tif 000015
【図５】
2020154579.tif 000016